(57)【要約】      （修正有）【課題】撮影時の情報やアイコンの表示位置を状態の変化に応じて優先度順に決定することを可能にした撮像装置及び撮像装置の制御方法を提供する。【解決手段】撮影時の情報やアイコンといった表示項目を表示する表示手段２８と、各表示項目の表示有無、タッチ操作有無及びおよび優先度と少なくとも一つの表示位置候補を保持する表示項目一覧保持手段と、状態の変化に合わせて表示項目一覧の内容を変更する表示項目一覧変更手段と、表示項目一覧が変更された場合に表示位置を更新する表示位置更新手段を有するシステム制御部５０とを備える。表示位置更新手段は表示が有効な項目について表示位置が重ならないよう表示項目の表示位置を優先度順に決定する。【選択図】図２
2017068769.tif 000002
【特許請求の範囲】
【請求項１】
撮影時の情報やアイコンといった表示項目を表示する表示手段（２８）と、
各表示項目の表示有無およびタッチ操作有無および優先度と少なくとも一つの
表示位置候補を保持する表示項目一覧保持手段（５２）と、
状態の変化に合わせて表示項目一覧の内容を変更する表示項目一覧変更手段（５０）と、
表示項目一覧が変更された場合に表示位置を更新する表示位置更新手段（５０）と、を備え、
前記表示位置更新手段は表示が有効な項目について表示位置が重ならないよう
表示項目の表示位置を優先度順に決定する
ことを特徴とする撮像装置。
【請求項２】
前記表示位置更新手段はタッチ操作が競合する表示位置にならないよう、
タッチ操作が有効な表示項目の表示位置を優先度順に決定した後に
タッチ操作が無効な表示項目の表示位置を優先度順に決定する
ことを特徴とする請求項１に記載の撮像装置。
【請求項３】
前記表示位置更新手段は表示位置が頻繁に変わらないよう、
表示済みの表示項目の表示位置を決定した後に
残った表示項目の表示位置を優先度順に決定する
ことを特徴とする請求項１に記載の撮像装置。
【請求項４】
露出補正値が±０に設定されている状態で測光が行われた場合には
露出補正表示を非表示にした領域に測光値を表示するよう、
測光値より露出補正値の優先度を高くする
ことを特徴とする請求項１に記載の撮像装置。
【請求項５】
撮影時の情報やアイコンといった表示項目を表示する表示ステップ（S23）と、
各表示項目の表示有無およびタッチ操作有無および優先度と少なくとも一つの
表示位置候補を保持する表示項目一覧保持ステップ（S20）と、
状態の変化に合わせて表示項目一覧の内容を変更する表示項目一覧変更ステップ（S13）と、
表示項目一覧が変更された場合に表示位置を更新する表示位置更新ステップ（S22）と、を備え、
前記表示位置更新ステップにおいて表示が有効な項目について表示位置が重ならないよう
表示項目の表示位置を優先度順に決定する
ことを特徴とする撮像方法。
【発明の詳細な説明】
【技術分野】
【０００１】
本発明は、撮像装置及び撮像装置の制御方法に関し、特に撮影時の情報やアイコンの表示位置を制御する技術に関する。
【背景技術】
【０００２】
従来、撮像部で取得した画像をスルー画像として表示部へ表示する際、撮影時の情報やアイコンを重畳して表示していた。これら撮影時の情報やアイコンがスルー画像の確認を妨げないよう、状態に応じて表示を変更する技術が存在する。
【０００３】
特許文献１には、撮像装置の動きを検出するとアイコンの透過率を上げる技術が開示されている。
【先行技術文献】
【特許文献】
【０００４】
【特許文献１】特開２０１３−１３１９０４号公報
【発明の概要】
【発明が解決しようとする課題】
【０００５】
しかしながら、上述の特許文献１に開示された従来技術では、三脚を利用した撮影時にはカメラの運動が検出されず、撮影時の情報やアイコンがスルー画像の確認を妨げてしまう。
【０００６】
そこで、本発明の目的は、撮影時の情報やアイコンの表示位置を状態の変化に応じて優先度順に決定することを可能にした撮像装置及び撮像装置の制御方法を提供することにある。
【課題を解決するための手段】
【０００７】
上記の目的を達成するために、本発明に係る撮像装置は、
撮影時の情報やアイコンといった表示項目を表示する表示手段と、各表示項目の表示有無およびタッチ操作有無および優先度と少なくとも一つの表示位置候補を保持する表示項目一覧保持手段と、状態の変化に合わせて表示項目一覧の内容を変更する表示項目一覧変更手段と、表示項目一覧が変更された場合に表示位置を更新する表示位置更新手段とを備え、前記表示位置更新手段は表示が有効な項目について表示位置が重ならないよう表示項目の表示位置を優先度順に決定することを特徴とする。
【発明の効果】
【０００８】
本発明によれば、撮影時の情報やアイコンの表示位置を状態の変化に応じて優先度順に決定することを可能にした撮像装置及び撮像装置の制御方法を提供することができる。
【図面の簡単な説明】
【０００９】
【図１】本発明の実施形態にかかわる撮像装置の一例であるデジタルカメラの外観図
【図２】本実施形態によるデジタルカメラ１００の構成例を示すブロック図
【図３】撮影時の情報やアイコンの表示位置候補や現在位置を含む表示項目一覧の一例
【図４】撮影時の情報やアイコンを変更する処理の一例を示すフローチャート
【図５】撮影時の情報やアイコンを表示する処理の一例を示すフローチャート
【図６】撮影時の情報やアイコンの現在位置を更新する処理の一例を示すフローチャート
【図７】表示部２８に表示される撮影時の情報やアイコンの一例を示す図
【発明を実施するための形態】
【００１０】
以下に、本発明の好ましい実施の形態を、添付の図面に基づいて詳細に説明する。
【００１１】
図１は本発明の実施形態にかかわる撮像装置の一例であるデジタルカメラの外観図である。
【００１２】
表示部２８は画像や撮影時の情報やアイコンといった表示項目を表示する表示手段としての表示部である。シャッターボタン６１は撮影指示を行うための操作部である。モードダイアル６０は各種モードを切り替えるための操作部である。コネクタ１１２は接続ケーブル１１１とデジタルカメラ１００とのコネクタである。操作部７０はユーザからの各種操作を受け付けるスイッチ、ボタン、タッチパネル等の操作部材より成る操作部である。表示部２８上にタッチパネルを設置することで、操作部７０を利用した表示項目のタッチ操作が可能になる。タッチホイール７３は操作部７０に含まれるタッチ操作可能な操作部材である。
【００１３】
７２は電源スイッチであり、電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１４】
図２は本実施形態によるデジタルカメラ１００の構成例を示すブロック図である。
【００１５】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。
【００１６】
Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００２０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２１】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。
【００２３】
モード切替スイッチ６０、第１シャッタースイッチ６２、第２シャッタースイッチ６４、操作部７０はシステム制御部５０に各種の動作指示を入力するための操作手段である。
【００２４】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアル露出モード、撮影シーン別の撮影設定となる各種シーンモード、プログラムＡＥモード、カスタムモード等がある。モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２５】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２８】
タッチホイール７３は、操作部７０に含まれるタッチ操作可能な操作部材であり、方向ボタンと共に選択項目を指示する際などに使用される。タッチホイール７３は、タッチセンサよりなる操作部材で、タッチホイール７３自体は回転せず、タッチホイール７３上でのユーザの指の回転動作などを検出する。タッチホイール７３をタッチ操作すると、タッチ操作に応じて電気的なパルス信号が発生し、このパルス信号に基づいてシステム制御部５０はデジタルカメラ１００の各部を制御する。このパルス信号によって、タッチホイール７３がタッチ操作された方向や、何回転したかなどを判定することができる。なお、タッチホイール７３はタッチ操作が検出できる操作部材であればどのようなものでもよい。
【００２９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３１】
以下、図３から７を参照して、本発明の第1の実施例による、撮像装置及び撮像装置の制御方法について説明する。
【００３２】
図３はシステムメモリ５２に保持される撮影時の情報やアイコンの表示位置候補や現在位置を含む表示項目一覧の一例である。
【００３３】
システムメモリ５２は、撮影時の情報やアイコンといった表示項目の表示有無およびタッチ操作有無および優先度と少なくとも一つの表示位置候補を保持する表示項目一覧保持手段として機能する。表示位置候補は、優先度が高い順に記録されているものとする。ここでは表示に関わる情報を表示項目一覧に集約して示したが、状態や情報や位置などを個別に管理しても構わない。図３の例において、優先度は数値が小さいほど優先的に表示されることを示している。
【００３４】
図３（１）はＡＥ（自動露出）処理前の表示項目一覧である。
【００３５】
３００は、露出補正の補正値を示す撮影時の情報およびアイコンに関するデータであり、撮影結果を明るくしたり暗くしたり制御する補正値の表示および操作部７０の一部であるタッチパネルで操作を検知するエリアを示すのに用いられる。表示項目一覧上に撮影時の情報のフォントやアイコンのイメージデータを含めていないが、不揮発性メモリ５６に格納されているものとする。同様に、３０１は測光結果である測光値を示す撮影時の情報およびアイコンに関するデータである。
【００３６】
図３（２）は露出補正３００に±0が設定された状態でＡＥ（自動露出）処理が動作中の表示項目一覧である。図３（１）と比べて、露出補正３００の表示状態が無効となり、測光値３０１の表示状態が有効になり、全ての表示項目についてタッチ状態が無効となっている。
【００３７】
図３（３）は露出補正３００に±0以外が設定された状態でＡＥ（自動露出）処理が動作中の表示項目一覧である。図３（１）と比べて、測光値３０１の表示状態が有効になり、全ての表示項目についてタッチ状態が無効となっているため、露出補正３００が表示位置（ｉ）に表示され測光値３０１が表示位置（ｉｉ）に表示されている。
【００３８】
図３（４）は露出補正３００に±0以外が設定された状態でＡＥ（自動露出）処理が動作中の表示項目一覧の別の一例である。図３（３）と比べて、測光値３０１の優先度が露出補正３００より高く設定されており、露出補正３００が表示位置（ｉｉ）に表示され測光値３０１が表示位置（ｉ）に表示されている。
【００３９】
図３（１）から（３）の例において、露出補正３００は測光値３０１より優先度が高く、表示位置候補である表示位置（ｉ）が重なり合っている。このため、図３（３）のように露出補正３００が表示されていると測光値３０１は表示位置（ｉｉ）に表示されるが、図３（２）のように露出補正３００が非表示になると測光値３０１は表示位置（ｉｉ）に表示される。つまり、露出補正を非表示にした領域に測光値を表示することができる。
【００４０】
撮影時の情報やアイコンといった表示項目を同時に表示しない状況を考慮して表示位置候補を用意することで、ある項目を非表示にした位置に他の項目を移動して表示することができる。
【００４１】
図４はシステム制御部５０で行われる撮影時の情報やアイコンを変更する処理の一例を示すフローチャートである。
【００４２】
システム制御部５０は、状態の変化に合わせて表示項目一覧の内容を変更する表示項目一覧変更手段として機能する。このフローチャートに従って表示項目一覧を更新することで、表示項目一覧変更処理が行われる。
【００４３】
ステップS10において、第１シャッタースイッチ６２や操作部７０やタッチホイール７３など操作手段からの動作指示を受信する。ステップS11では、動作を実行する。たとえば、ステップS10において第１シャッタースイッチ６２からの動作指示を受信すると、ステップS11においてＡＥ（自動露出）処理を行う。
【００４４】
ステップS12では、ステップS11における動作の実行の結果として状態が変化したかを判定する。状態が変化していない場合には（ステップS12でNo）、ステップS14へ進む。状態が変化した場合には（ステップS12でYes）、ステップS13において表示項目一覧の更新を行った後にステップS14へ進む。ステップS14では、撮像装置の動作終了が指示されたか判定を行う。動作終了の指示がなかった場合（ステップS14でNo）にはステップS10に戻って処理を続行し、動作終了の指示があった場合（ステップS14でYes）には撮影時の情報やアイコンを変更する処理を終了する。
【００４５】
たとえば、ステップS11においてＡＥ（自動露出）処理を行うと、ステップS13において全ての表示項目に関するタッチ状態を無効にすると共に測光値３０１の表示状態を有効にする。また図３に示した例では、図３（２）のように露出補正３００が±0に設定されている状態でＡＥ（自動露出）処理が行われた場合には、露出補正３００の表示状態を無効としている。図３（３）のように露出補正３００が±0以外に設定されている状態でＡＥ（自動露出）処理が行われた場合には、露出補正３００の表示状態を有効としている。
【００４６】
図５はシステム制御部５０で行われる撮影時の情報やアイコンを表示する処理の一例を示すフローチャートである。このフローチャートに従って表示項目一覧を更新することで、撮影時の情報やアイコンの表示データ更新処理が行われる。
【００４７】
ステップS20において、システム制御部５０は表示項目一覧を取得する。ステップS21において、表示項目一覧が更新されているか判定を行う。表示項目一覧が更新されていない場合には（ステップS21でNo）、ステップS24へ進む。表示項目一覧が更新されている場合には（ステップS21でYes）、ステップS22において、システム制御部５０は撮影時の情報やアイコンの現在位置を更新する。撮影時の情報やアイコンの現在位置を更新する処理については、図６を用いて後述する。
【００４８】
ステップS23において、システム制御部５０は撮影時の情報やアイコンを表示用データとして描画する。メモリ制御部１５において、システム制御部５０が描画した表示用データをＡ／Ｄ変換器２３が出力したデジタル信号に重畳する。表示用データを重畳したデジタル信号をＤ／Ａ変換器１３においてアナログ変換し、表示部２８に逐次転送して表示することで、スルー画像表示上に撮影時の情報やアイコンを表示することができる。
【００４９】
ステップS24において、システム制御部５０は表示項目一覧の更新処理の終了が指示されているか判定を行う。処理終了が指示されていない場合（ステップS24でNo）にはステップS20に戻って処理を続行し、処理終了が指示されている場合（ステップS24でYes）には撮影時の情報やアイコンを表示する処理を終了する。
【００５０】
図６はシステム制御部５０で行われる撮影時の情報やアイコンの現在位置を更新する処理の一例を示すフローチャートである。
【００５１】
システム制御部５０は、表示項目一覧が変更された場合に表示位置を更新する表示位置更新手段として機能する。このフローチャートに従って表示項目一覧を更新することで、撮影時の情報やアイコンの表示位置更新処理が行われる。
【００５２】
ステップS30において、システム制御部５０は表示項目一覧を優先度降順にソートする。優先度降順にソートした上で上位から順に表示位置が重ならないよう、表示項目の表示位置を決定する。このようなソートを行うことで、表示が有効な項目について表示位置が重ならないよう表示項目の表示位置を優先度順に決定する。
【００５３】
図３（２）に示した例では、表示項目一覧上で露出補正３００が非表示となったため、露出補正３００よりも優先度が低く表示位置（ｉｉ）に表示されていた測光値３０１を表示位置（ｉ）に表示するようになる。
【００５４】
優先度を用いてソートする際に、タッチ操作が有効である撮影時の情報やアイコンといった表示項目をタッチ操作が無効な表示項目より前になるよう、優先度と併せてソートしてもよい。このようなソートを行うことで、タッチ操作が有効な表示項目の表示位置を優先度順に決定した後にタッチ操作が無効な表示項目の表示位置を優先度順に決定することができ、タッチ操作の競合を回避することができる。
【００５５】
また優先度を用いてソートする際に、現在表示位置の定まっている撮影時の情報やアイコンといった表示項目を、表示位置の定まっていない表示項目より前になるよう、タッチ操作および優先度と併せてソートしてもよい。このようなソートを行うことで、表示済みの表示項目の表示位置を決定した後に残った表示項目の表示位置を優先度順に決定することができ、状態の変化に応じて表示位置が頻繁に変わらないよう制御することができる。
【００５６】
ステップS31において、システム制御部５０は表示部２８と同解像度のデータである表示マップをID000で初期化する。表示マップの各座標に対して、表示する撮影時の情報やアイコンのIDを座標データとして記録する。ID000はいずれの撮影時の情報やアイコンも表示していないことを示し、ID000以外はいずれかの撮影時の情報やアイコンを表示していることを示す。
【００５７】
ステップS32において、システム制御部５０はソートされた表示項目一覧から表示項目のデータを順番に取得する。
【００５８】
ステップS33において、取得した表示項目の表示状態が有効であるか判定する。表示状態が無効である場合には（ステップS33でNo）、ステップS39へ進む。表示状態が有効である場合には（ステップS33でYes）、ステップS34において表示項目のデータから優先度の高い表示位置候補を一つ取得する。
【００５９】
ステップS35において、システム制御部５０は表示マップにおける座標データと表示位置候補との重複を確認する。ステップS34で取得した表示位置候補の座標データにおいて、ID000以外が記録されている場合には重複が発生している。
【００６０】
ステップS36において、システム制御部５０は重複が発生したか判定する。重複が発生している場合には（ステップS36でYes）、ステップS38へ進む。重複が発生していない場合には（ステップS36でNo）、ステップS37においてステップS34で取得した表示位置候補における表示マップの座標データに表示項目のIDを記録すると共に表示項目一覧の現在位置にステップS34で取得した表示位置候補を記録し、ステップS39へ進む。
【００６１】
ステップS39において、システム制御部５０はステップS32で取得した表示項目のデータ中にステップS34で取得した表示位置候補の次に優先度の高い表示位置候補が存在するか判定する。次に優先度の高い表示位置候補が存在する場合には（ステップS38でYes）、ステップS34に戻り、次に優先度の高い表示位置候補を取得して処理を続行する。次に優先度の高い表示位置候補が存在しない場合には（ステップS38でNo）、ステップS39へ進む。
【００６２】
ステップS38において、システム制御部５０はステップS30でソートした表示項目一覧中にステップS32でデータを取得した表示項目の次に優先度の高い表示項目が存在するか判定する。次に優先度の高い表示項目が存在する場合には（ステップS39でYes）、ステップS32に戻り、次に優先度の高い表示項目のデータを取得して処理を続行する。次に優先度の高い表示項目が存在しない場合には（ステップS39でNo）、撮影時の情報やアイコンの現在位置を更新する処理を終了する。
【００６３】
なお、図４に示した表示項目一覧変更処理と図５に示した表示位置更新処理とを、連続して実行しても構わない。ステップS13の後にステップS22およびステップS23を行うように構成することで、処理を連続して実行することができる。
【００６４】
図７は表示部２８に表示される撮影時の情報やアイコンの一例を示す図である。
【００６５】
図７（１）はＡＥ（自動露出）処理前に表示される撮影時の情報やアイコンの一例であり、露出補正３００が表示されて測光値３０１が表示されていない。
【００６６】
図７（２）は露出補正３００に±0が設定された状態でＡＥ（自動露出）処理が動作中に表示される撮影時の情報やアイコンの一例であり、露出補正３００が表示されておらず測光値３０１が表示されている。
【００６７】
図７（３）は露出補正３００に±0以外が設定された状態でＡＥ（自動露出）処理が動作中に表示される撮影時の情報やアイコンの一例であり、露出補正３００が表示位置（ｉ）に表示され測光値３０１が表示位置（ｉｉ）に表示されている。
【００６８】
図７（４）は露出補正３００に±0以外が設定された状態でＡＥ（自動露出）処理が動作中に表示される撮影時の情報やアイコンの一例の別の一例であり、露出補正３００が表示位置（ｉｉ）に表示され測光値３０１が表示位置（ｉ）に表示されている。
【００６９】
以上、本発明の好ましい実施形態について説明したが、本発明はこれらの実施形態に限定されず、その要旨の範囲内で種々の変形及び変更が可能である。
【符号の説明】
【００７０】
１００  デジタルカメラ、２２  撮像部、２３  Ａ／Ｄ変換機、２４  画像処理部、
２８  表示部、５０  システム制御部、７０  操作部、２００  記憶媒体
【図１】
2017068769.tif 000003
【図２】
2017068769.tif 000004
【図３】
2017068769.tif 000005
【図４】
2017068769.tif 000006
【図５】
2017068769.tif 000007
【図６】
2017068769.tif 000008
【図７】
2017068769.tif 000009